(57)【要約】【課題】ランダムアクセス可能な情報記録再生装置において、情報を再生する度に同じ箇所をスキップしたい場合にユーザが一定時間スキップ処理を行うと再生区間リストが自動的に更新されるが、その更新内容がユーザから分かりにくいという課題が残っていた。【解決手段】記録媒体からの情報再生中に一定時間スキップ手段Ｍ１により一定時間スキップ処理が行われる度に、再生区間リスト読み出し手段Ｍ２によって読み出された再生区間リストＢにおけるスキップ開始点Ｓsとスキップ終了点Ｓeを用いて再生区間を変更し、再生区間からスキップ処理の区間を削除する再生区間リスト変更手段Ｍ３と、スキップ区間リストにおいて、スキップ開始点とスキップ終了点を用いてスキップ区間を変更し、スキップ区間リストがないときは新たにスキップ区間リストを作成し、再生区間から削除したスキップ処理の区間を登録するスキップ区間リスト変更手段Ｍ４とを備える。【選択図】図４
2008198306.tif 000002
【特許請求の範囲】
【請求項１】
記録媒体から再生区間リストを読み出す再生区間リスト読み出し手段と、
所定の一定時間にわたり前記記録媒体からの情報の読み出し位置をスキップする一定時間スキップ手段と、
前記記録媒体からの情報再生中に前記一定時間スキップ手段により一定時間スキップ処理が行われる度に、前記再生区間リスト読み出し手段によって読み出された前記再生区間リストにおけるスキップ開始点とスキップ終了点を用いて前記再生区間を変更し、再生区間からスキップ処理の区間を削除する再生区間リスト変更手段と、
スキップ区間リストにおいて、前記スキップ開始点と前記スキップ終了点を用いてスキップ区間を変更し、前記スキップ区間リストがないときは新たにスキップ区間リストを作成し、再生区間から削除したスキップ処理の区間を登録するスキップ区間リスト変更手段とを備えた情報記録再生装置。
【請求項２】
１回目と２回目の一定時間スキップ処理が所定時間以内に引き続いて行われる連続スキップ処理が行われたときは、１回目の一定時間スキップ終了点から２回目の一定時間スキップ開始点までもスキップ処理の区間とみなして、前記再生区間リスト変更手段は前記再生区間リストにおいて１回目の一定時間スキップ開始点から２回目の一定時間スキップ終了点までを再生区間から削除し、前記スキップ区間リスト変更手段は前記スキップ区間リストにおいて１回目の一定時間スキップ開始点から２回目の一定時間スキップ終了点までをスキップ区間として更新または登録する請求項１に記載の情報記録再生装置。
【請求項３】
情報再生中に逆方向の一定時間スキップ処理が行われた場合に前記再生区間リストにおいて逆方向一定時間スキップ終了点がスキップ箇所に対応するときは、前記再生区間リスト変更手段は前記再生区間リストにおいて逆方向一定時間スキップ終了点から逆方向一定時間スキップ開始点までも再生区間に含めるように再生区間を変更し、前記スキップ区間リスト変更手段は前記スキップ区間リストにおいて前記逆方向一定時間スキップ終了点から逆方向一定時間スキップ開始点までをスキップ区間から削除する請求項１に記載の情報記録再生装置。
【請求項４】
前記スキップ区間リスト変更手段は、前記スキップ区間リストを更新する際に、既に存在しているスキップ区間リストを複製してから、片方のスキップ区間リストを更新する請求項１から請求項３までのいずれかに記載の情報記録再生装置。
【請求項５】
前記連続スキップ処理の判断基準の前記所定時間は、一定時間スキップ量の大小変化にかかわりなく一定値に固定されている請求項２に記載の情報記録再生装置。
【請求項６】
前記連続スキップ処理の判断基準の所定時間は、一定時間スキップ量の大小変化にかかわりなく一定値に固定されたパターンが複数種類あり、その複数種類のパターンからユーザカスタマイズ可能にされている請求項５に記載の情報記録再生装置。
【請求項７】
前記連続スキップ処理の判断基準の前記所定時間は、一定時間スキップ量と相関関係を有している請求項２に記載の情報記録再生装置。
【請求項８】
前記連続スキップ処理の判断基準の所定時間は、一定時間スキップ量の一次関数である請求項７に記載の情報記録再生装置。
【請求項９】
前記連続スキップ処理の判断基準の所定時間は、前記一次関数の傾き、Ｙ切片がユーザカスタマイズ可能にされている請求項８に記載の情報記録再生装置。
【請求項１０】
前記連続スキップ処理の判断基準の所定時間は、一定時間スキップ量の一次関数とし、かつ下限と上限を持たせている請求項７に記載の情報記録再生装置。
【請求項１１】
前記連続スキップ処理の判断基準の所定時間は、一定時間スキップ量の一次関数で、かつ一次関数の傾き、Ｙ切片を一定時間スキップ量に応じて変化させている請求項７に記載の情報記録再生装置。
【請求項１２】
前記連続スキップ処理の判断基準の所定時間は、一定時間スキップ量を複数の区間に分け、それぞれ区間で一定値に固定されている請求項７に記載の情報記録再生装置。
【発明の詳細な説明】
【技術分野】
【０００１】
本発明は、ランダムアクセス可能な情報記録再生装置の再生、編集の技術に関する。
【背景技術】
【０００２】
映像、音声などの情報を記録、再生、編集することができる情報記録再生装置では、情報再生中に３０秒スキップ等の一定時間スキップを用いれば、再生を希望しない箇所をスキップすることができる（例えば特許文献１参照）。また、再生開始点・再生終了点の指定や記録データの削除といった編集をすれば、再生する度に同じ箇所をスキップすることが可能である（例えば特許文献２参照）。
【０００３】
しかし、これらの技術の場合には、同じ箇所のスキップを行いたい場合に、その度に一定時間スキップ処理の操作を行わなければならないし、再生開始点・再生終了点の指定や、記録データの削除といった編集作業を行わなければならない煩わしさがある。
【０００４】
そこで、対策として、本出願人はすでに１つの提案を行っている。その先行技術にかかわる情報記録再生装置は、記録媒体から再生区間リストを読み出す再生区間リスト読み出し手段と、所定の一定時間にわたり前記記録媒体からの情報の読み出し位置をスキップする一定時間スキップ手段と、前記記録媒体からの情報再生中に前記一定時間スキップ手段により一定時間スキップ処理が行われる度に、前記再生区間リスト読み出し手段によって読み出された前記再生区間リストにおけるスキップ開始点とスキップ終了点を用いて前記再生区間を変更し、再生区間からスキップ処理の区間を削除する再生区間リスト変更手段とを備えた構成となっている。この場合、ユーザが一度一定時間スキップを行えば、そのときのスキップ情報を基に再生区間リストを自動的に変更する。一度一定時間スキップを行えば再生区間リストが自動的に更新されているので、それ以降の再生では、煩わしい操作を行うことなく、再生不要箇所をスキップする状態での再生が可能となる。再生開始点・再生終了点の指定や、記録データの削除といった編集作業の煩わしさも解消されている（例えば特許文献３参照）。
【特許文献１】特開２００２−２２３４０８号公報（第６−７頁、第３図）
【特許文献２】特開２００３−３１９３１２号公報（第４頁、第２−４図）
【特許文献３】特開２００６−２２１７６６号公報（第８−１１頁、第１−５図）
【発明の開示】
【発明が解決しようとする課題】
【０００５】
上記の先行技術の情報記録再生装置の場合には、自動で行われた再生区間リストの変更内容が、ユーザから分かりにくいという課題が残っていた。
【０００６】
本発明は、この点に鑑みて創作したものであり、自動で行われた再生区間リストの変更内容をユーザが容易に確認することができるようにすることを目的としている。
【課題を解決するための手段】
【０００７】
（１）本発明による情報記録再生装置は、
記録媒体から再生区間リストを読み出す再生区間リスト読み出し手段と、
所定の一定時間にわたり前記記録媒体からの情報の読み出し位置をスキップする一定時間スキップ手段と、
前記記録媒体からの情報再生中に前記一定時間スキップ手段により一定時間スキップ処理が行われる度に、前記再生区間リスト読み出し手段によって読み出された前記再生区間リストにおけるスキップ開始点とスキップ終了点を用いて前記再生区間を変更し、再生区間からスキップ処理の区間を削除する再生区間リスト変更手段と、
スキップ区間リストにおいて、前記スキップ開始点と前記スキップ終了点を用いてスキップ区間を変更し、前記スキップ区間リストがないときは新たにスキップ区間リストを作成し、再生区間から削除したスキップ処理の区間を登録するスキップ区間リスト変更手段とを備えたものである。
【０００８】
この構成においては、情報再生中に一定時間スキップ処理が行われると、再生区間リスト変更手段は再生区間リストにおいてスキップ処理の区間(スキップ開始点からスキップ終了点まで）の削除を含めて再生区間を更新し、スキップ区間リスト変更手段はスキップ区間リストにおいてスキップ区間を更新する。この場合、スキップ区間リストがまだ作成されていないのであれば、新規に作成してスキップ区間を登録する。
【０００９】
以上の結果として、以降の情報再生においてユーザは特に編集作業を行うことなく、飛ばしたい箇所を自動的にスキップして再生することが可能となる。そして、再生区間リストとは別にスキップ区間リストがあり、そのスキップ区間リストにおいてスキップ区間を更新するので、再生区間リストから削除されたスキップ処理の区間について、ユーザがこれを容易に確認することが可能となる。
【００１０】
（２）また本発明による情報記録再生装置は、上記（１）において、１回目と２回目の一定時間スキップ処理が所定時間以内に引き続いて行われる連続スキップ処理が行われたときは、１回目の一定時間スキップ終了点から２回目の一定時間スキップ開始点までもスキップ処理の区間とみなして、前記再生区間リスト変更手段は前記再生区間リストにおいて１回目の一定時間スキップ開始点から２回目の一定時間スキップ終了点までを再生区間から削除し、前記スキップ区間リスト変更手段は前記スキップ区間リストにおいて１回目の一定時間スキップ開始点から２回目の一定時間スキップ終了点までをスキップ区間として更新または登録するものである。
【００１１】
情報再生中に一定時間スキップ処理が行われた後、引き続いて再度一定時間スキップ処理が行われた場合に、１回目の一定時間スキップ処理と２回目の一定時間スキップ処理の時間間隔が所定時間以内であるときは、１回目の一定時間スキップ開始点から２回目の一定時間スキップ終了点までをひとくくりにして１回のスキップ処理とみなす。つまり、１回目の一定時間スキップ処理と２回目の一定時間スキップ処理と両スキップ処理の間の区間との３つを合わせて１回のスキップ処理とみなす。これを“連続スキップ処理”と称することにする。
【００１２】
１回目のスキップ処理を行ってから２回目のスキップ処理を行うまでの時間が短いときは、１回目の一定時間スキップ終了点から２回目の一定時間スキップ開始点までの区間についても、本来ユーザの再生したくない情報に相当する蓋然性が高いと考えられる。そこで、そのような区間を含めて、再生区間リストからの削除対象、スキップ区間リストへの登録対象とするものである。
【００１３】
この場合、１回目のスキップ処理の終了時点からユーザが２回目のスキップ処理を行うまでの間に再生された区間についても、これをスキップ処理の区間とみなして、再生区間リストからの削除に加えるとともにスキップ区間リストの登録に加えることにより、連続スキップ処理の場合にも上記（１）と同様に対応することが可能で、操作の煩わしさを解消するとともに、連続スキップ処理区間についてユーザが容易に確認することが可能となる。
【００１４】
（３）また本発明による情報記録再生装置は、上記（１）において、情報再生中に逆方向の一定時間スキップ処理が行われた場合に前記再生区間リストにおいて逆方向一定時間スキップ終了点がスキップ箇所に対応するときは、前記再生区間リスト変更手段は前記再生区間リストにおいて逆方向一定時間スキップ終了点から逆方向一定時間スキップ開始点までも再生区間に含めるように再生区間を変更し、前記スキップ区間リスト変更手段は前記スキップ区間リストにおいて前記逆方向一定時間スキップ終了点から逆方向一定時間スキップ開始点までをスキップ区間から削除するものである。なお、逆方向スキップ処理では、逆方向スキップ終了点は、順方向において逆方向スキップ開始点よりも上手側にあり、通常のスキップ処理の場合とは逆関係にある（通常のスキップ処理では、スキップ終了点はスキップ開始点よりも下手側にある）。逆方向一定時間スキップ処理は、ある再生区間の再生開始初期にユーザが所望する情報がないことに気づいて操作されることが多い。したがって、逆方向一定時間スキップ処理を行うと、再生区間の前方のスキップ箇所にジャンプすることになる。
【００１５】
この場合、逆方向一定時間スキップ処理が行われた区間も本来ユーザの再生したい情報であることから、逆方向スキップ処理の区間については、これを再生区間に含めるようにしている。そのように再生区間リストに戻した逆方向スキップ処理の区間については、これをスキップ区間リストから削除することで、不整合を回避することが可能となる。
【００１６】
（４）また本発明による情報記録再生装置は、上記（１）〜（３）において、前記スキップ区間リスト変更手段は、前記スキップ区間リストを更新する際に、既に存在しているスキップ区間リストを複製してから、片方のスキップ区間リストを更新するという態様がある。
【００１７】
スキップ区間リストを更新する際に、既存のスキップ区間リストを直接変更するのではなく、既存のスキップ区間リストを複製し、いずれか一方のスキップ区間リストに対して変更を加える。これにより、ユーザが意図的に編集したスキップ区間リストがユーザの意図に反して変更されてしまうことを防ぐことが可能になる（バックアップの確保）。
【００１８】
（５）上記（２）の情報記録再生装置において、前記連続スキップ処理の判断基準の前記所定時間は、一定時間スキップ量の大小変化にかかわりなく一定値に固定されているという態様がある。このように構成すれば、上述した機能を実現するための構成が簡単なものになる。
【００１９】
（６）また上記（５）の情報記録再生装置において、前記連続スキップ処理の判断基準の所定時間は、一定時間スキップ量の大小変化にかかわりなく一定値に固定されたパターンが複数種類あり、その複数種類のパターンからユーザカスタマイズ可能にされているという態様がある。このように構成すれば、それぞれのユーザの感覚にあった制御が可能になる。
【００２０】
（７）また上記（２）の情報記録再生装置において、前記連続スキップ処理の判断基準の前記所定時間は、一定時間スキップ量と相関関係を有しているという態様がある。このように構成すれば、スキップしたその時々の感覚により近い制御が可能になる。
【００２１】
（８）また上記（７）の情報記録再生装置において、前記連続スキップ処理の判断基準の所定時間は、一定時間スキップ量の一次関数であるという態様がある。このように構成すれば、スキップしたその時々の感覚により近い制御をより容易に実現することが可能になる。
【００２２】
（９）また上記（８）の情報記録再生装置において、前記連続スキップ処理の判断基準の所定時間は、前記一次関数の傾き、Ｙ切片がユーザカスタマイズ可能にされているという態様がある。このように構成すれば、スキップしたユーザの感覚により近い制御をより容易に実現することが可能になる。
【００２３】
（１０）また上記（７）の情報記録再生装置において、前記連続スキップ処理の判断基準の所定時間は、一定時間スキップ量の一次関数とし、かつ下限と上限を持たせているという態様がある。このように一次関数の上限を設けることで、極度に長い一定時間スキップを行った後の次の一定時間スキップを、本来それが無関係なものであるにもかかわらず連続スキップ処理と判断してしまうことを避けることが可能になり、また一次関数の下限を設けることで、極度に短い一定時間スキップを行った直後の一定時間スキップを、ユーザが連続スキップ処理を意図したとおりに判断することが可能になる。
【００２４】
（１１）また上記（７）の情報記録再生装置において、前記連続スキップ処理の判断基準の所定時間は、一定時間スキップ量の一次関数で、かつ一次関数の傾き、Ｙ切片を一定時間スキップ量に応じて変化させているという態様がある。このように構成すれば、スキップしたその時々の感覚により近い制御をより容易に実現することが可能になる。
【００２５】
（１２）また上記（７）の情報記録再生装置において、前記連続スキップ処理の判断基準の所定時間は、一定時間スキップ量を複数の区間に分け、それぞれ区間で一定値に固定されているという態様がある。このように構成すれば、スキップしたその時々の感覚により近い制御をより容易に実現することを、上記とは別手段で実現可能となる。
【発明の効果】
【００２６】
本発明によれば、一度一定時間スキップを行った後は以降の情報再生においてユーザは特に編集作業を行うことなく、飛ばしたい箇所を自動的にスキップして再生することができるとともに、再生区間リストとは別にスキップ区間リストがあり、そのスキップ区間リストにおいてスキップ区間を登録し更新するので、再生区間リストから削除されたスキップ処理の区間について、ユーザがこれを容易に確認することができる。
【発明を実施するための最良の形態】
【００２７】
以下、本発明にかかわる情報記録再生装置の実施の形態を図面に基づいて詳細に説明する。
【００２８】
図１は本発明の実施の形態におけるランダムアクセス可能な情報記録再生装置の代表例としてのＤＶＤレコーダの構成を示すブロック図である。
【００２９】
このＤＶＤレコーダは、所定の一定時間にわたりＤＶＤ（Digital VersatileDisc）からの情報（映像・音声）の読み出し位置をスキップする一定時間スキップ手段の一例としての３０秒スキップ手段Ｍ１と、ＤＶＤから再生区間リストＢを読み出す再生区間リスト読み出し手段Ｍ２を備えている。さらに、ＤＶＤからの映像再生中に３０秒スキップ手段Ｍ１により３０秒スキップが行われる度に、再生区間リスト読み出し手段Ｍ２によって読み出された再生区間リストにおけるスキップ開始点Ｓsとスキップ終了点Ｓeを用いて再生区間を変更し、再生区間からスキップ処理の区間を削除する再生区間リスト変更手段Ｍ３を備えている。さらに、再生区間リスト読み出し手段Ｍ２によって読み出されたスキップ区間リストＣにおいて、スキップ開始点Ｓsとスキップ終了点Ｓeを用いてスキップ区間を変更し、スキップ区間リストがないときは新たにスキップ区間リストＣを作成し、再生区間から削除したスキップ処理の区間を登録するスキップ区間リスト変更手段Ｍ４を備えている。
【００３０】
（実施の形態１）
本発明の実施の形態１における情報記録再生装置を図２〜図４を用いて説明する。
【００３１】
上記構成のＤＶＤレコーダは、映像再生中に３０秒スキップが行われる度に、再生区間リストＢ中に３０秒スキップを行った区間のすべてまたは一部が含まれているかどうかを検索する。
【００３２】
まず、図２および図３に基づいて、スキップ処理Ｓにおけるスキップ開始点Ｓsとスキップ終了点Ｓeと、再生区間Ｋの開始点と終了点との相対位置関係の各種態様を説明する。
【００３３】
図２（ａ）の態様は、再生区間Ｋを２つに分けるものである。スキップ開始点Ｓsとスキップ終了点Ｓeがともに再生区間リストＢ中の再生区間Ｋの範囲内にある状態に該当している。より詳しくは、スキップ開始点Ｓsが再生区間Ｋの開始点とは異なり、かつスキップ終了点Ｓeが再生区間Ｋの終了点とは異なっている。さらに、再生区間リストＢに新たな再生区間を追加可能であるとする。このような場合に、スキップ処理Ｓに対応する再生を禁止するためには、旧の再生区間Ｋを更新する必要がある。すなわち、旧の再生区間Ｋにおけるスキップ処理Ｓの相当部分を削除する必要がある。
【００３４】
そこで、再生区間リスト変更手段Ｍ３は、再生区間リストＢにおいて、旧の再生区間(Ｋ＋１)を新の再生区間(Ｋ＋２)とし、旧の再生区間(Ｋ＋２)を新の再生区間(Ｋ＋３)とするようにして、旧の再生区間(Ｋ＋１)以降において再生区間番号を１つずつインクリメントする。新の再生区間Ｋについては、その開始点は元の開始点でよいが、その終了点はスキップ開始点Ｓs（データポイント：ｔ１２）に設定し直すものとする。そして、新の再生区間(Ｋ＋１)を新規作成し、その開始点をスキップ終了点Ｓe（データポイント：ｔ１３）に設定し、新の再生区間(Ｋ＋１)の終了点を旧の再生区間Ｋの終了点に設定する。再生区間リストＢのデータは、旧の再生区間Ｋで（ｔ１１，ｔ１４）であったものが、新の再生区間Ｋで（ｔ１１，ｔ１２）と更新され、新の再生区間(Ｋ＋１）では（ｔ１３，ｔ１４）と登録される。新の再生区間(Ｋ＋２）以降はスキップ区間番号のインクリメントだけで、データに変化はない。
【００３５】
一方、スキップ区間リスト変更手段Ｍ４は、スキップ区間リストＣにおいて、旧のスキップ区間(Ｋ＋１）を新のスキップ区間(Ｋ＋２）とし、旧のスキップ区間(Ｋ＋２）を新のスキップ区間(Ｋ＋３）とするようにして、旧のスキップ区間(Ｋ＋１）以降においてスキップ区間番号を１つずつインクリメントする。さらに、その結果空いたスキップ区間番号（Ｋ＋１）について、その開始点をスキップ開始点Ｓｓにし、終了点をスキップ終了点Ｓｅとして、新のスキップ区間(Ｋ＋１）を新たに登録する。スキップ区間リストＣのデータは、新のスキップ区間(Ｋ＋１）で（ｔ１２，ｔ１３）が新規登録される。新のスキップ区間(Ｋ＋２)以降はスキップ区間番号のインクリメントだけで、データに変化はない。
【００３６】
もし、スキップ区間リストＣがないのであれば、新規にスキップ区間リストＣを作成し、スキップ開始点Ｓsとスキップ終了点Ｓeを用いてスキップ区間を登録する。
【００３７】
図４は図２（ａ）を詳しく表したものである。再生区間リストＢは、個々の再生区間について、その開始点と終了点のデータ対の列で表される。スキップ区間リストＣも同様に、個々のスキップ区間について、その開始点と終了点のデータ対の列で表される。実記録データＡは、個々の再生区間について、その開始点から終了点までの連続データである。実記録データＡにおいて、旧の再生区間Ｋがスキップ処理Ｓを挟む形で新の再生区間Ｋと新の再生区間(Ｋ＋１)とに別れ、再生区間リストＢにおいて、新の再生区間Ｋの終了点がスキップ開始点Ｓsに設定し直され、新の再生区間(Ｋ＋１)の開始点がスキップ終了点Ｓeに設定し直され、終了点が旧の再生区間Ｋの終了点に設定し直されている。
【００３８】
図２（ａ）の説明では、再生区間リストＢに新たな再生区間を追加可能な場合であるとしたが、もし、再生区間リストＢに新たな再生区間が追加不可能な場合には、何もしない。
【００３９】
図２（ｂ）の態様は、再生区間Ｋの前半が残るものである。スキップ開始点Ｓsは再生区間Ｋの途中にあるが、スキップ終了点Ｓeが再生区間Ｋの終了点またはそれを超えた時間位置にある状態に該当している。この場合には、再生区間リスト変更手段Ｍ３は、再生区間リストＢにおいて、新の再生区間Ｋの終了点をスキップ開始点Ｓs（データポイント：ｔ２２）に設定し直す。再生区間リストＢのデータは、旧の再生区間Ｋで（ｔ２１，ｔ２４）であったものが、新の再生区間Ｋで（ｔ２１，ｔ２２）と更新される。
【００４０】
一方、スキップ区間リスト変更手段Ｍ４は、スキップ区間リストＣにおいて、新のスキップ区間(Ｋ＋１)の開始点をスキップ開始点Ｓsに設定し直す。スキップ区間リストＣのデータは、旧のスキップ区間(Ｋ＋１)で（ｔ２４，ｔ２５）であったものが、新のスキップ区間(Ｋ＋１）で（ｔ２２，ｔ２５）と更新される。スキップ区間リストＣがないときの処理は、上記と同様である。
【００４１】
図３（ａ）の態様は、再生区間Ｋの後半が残るものである。スキップ開始点Ｓsが再生区間Ｋの開始点に一致するか開始点より時間的に前に位置し、スキップ終了点Ｓeが再生区間Ｋの途中に位置する場合に該当している。この場合には、再生区間リスト変更手段Ｍ３は、再生区間リストＢにおいて、新の再生区間Ｋの開始点をスキップ終了点Ｓe（データポイント：ｔ３２）に設定し直す。再生区間リストＢのデータは、旧の再生区間Ｋで（ｔ３１，ｔ３３）であったものが、新の再生区間Ｋで（ｔ３２，ｔ３３）と更新される。
【００４２】
一方、スキップ区間リスト変更手段Ｍ４は、スキップ区間リストＣにおいて、新のスキップ区間Ｋの終了点をスキップ終了点Ｓeに設定し直す。スキップ区間リストＣのデータは、旧のスキップ区間Ｋで（ｔ３０，ｔ３１）であったものが、新のスキップ区間Ｋで（ｔ３０，ｔ３２）と更新される。スキップ区間リストＣがないときの処理は、上記と同様である。
【００４３】
図３（ｂ）の態様は、再生区間Ｋの全体を削除するものである。スキップ開始点Ｓsが再生区間Ｋの開始点に一致するか開始点より時間的に前に位置し、スキップ終了点Ｓeが再生区間Ｋの終了点に一致するか終了点を超える場合に該当している。この場合には、再生区間リスト変更手段Ｍ３は、再生区間リストＢにおいて、再生区間Ｋを削除し、旧の再生区間(Ｋ＋１)を新の再生区間Ｋとし、旧の再生区間(Ｋ＋２)を新の再生区間(Ｋ＋１)とするようにして、旧の再生区間(Ｋ＋１)以降において再生区間番号を１つずつデクリメントする。再生区間リストＢのデータは、旧の再生区間Ｋで（ｔ４１，ｔ４２）であったものが、消去される。新の再生区間Ｋ以降はスキップ区間番号のデクリメントだけで、データに変化はない。
【００４４】
一方、スキップ区間リスト変更手段Ｍ４は、スキップ区間リストＣにおいて、旧のスキップ区間Ｋの開始点から旧のスキップ区間(Ｋ＋１)の開始点までを一括して新のスキップ区間Ｋとする。旧のスキップ区間(Ｋ＋１）を新のスキップ区間Ｋとし、旧のスキップ区間(Ｋ＋２）を新のスキップ区間(Ｋ＋１）とするようにして、旧のスキップ区間(Ｋ＋１）以降においてスキップ区間番号を１つずつデクリメントする。スキップ区間リストＣのデータは、旧のスキップ区間Ｋで（ｔ４０，ｔ４１）であったものが、新のスキップ区間Ｋで（ｔ４０，ｔ４３）と更新される。新のスキップ区間Ｋ以降はスキップ区間番号のインクリメントだけで、データに変化はない。
【００４５】
もし、スキップ処理Ｓの一部を含んだ再生区間Ｋが存在しない場合には、何もしない。また、これにより、再生時にユーザが実記録データをすべて再生するか、自動的に作られた再生区間リストＢに基づいて再生するかを選択することもできる。
【００４６】
本実施の形態によれば、情報再生中に一定時間スキップ処理Ｓが行われると、再生区間リストＢにおいてスキップ処理Ｓの削除を含めて再生区間を更新し、スキップ区間リストＣにおいてスキップ区間を更新するので、以降の情報再生においてユーザは特に編集作業を行うことなく、飛ばしたい箇所を自動的にスキップして再生することが可能となる。そして、再生区間リストＢとは別にスキップ区間リストＣがあり、そのスキップ区間リストＣにおいてスキップ区間を更新するので、再生区間リストＢから削除されたスキップ処理の区間について、ユーザがこれを容易に確認することができる。
【００４７】
（実施の形態２）
情報再生中に一定時間スキップ処理が行われた後、引き続いて再度一定時間スキップ処理が行われた場合に、１回目の一定時間スキップ処理と２回目の一定時間スキップ処理の時間間隔が所定時間Ｔ０以内であるときは、この２つの一定時間スキップをひとくくりにして連続スキップ処理とみなす。つまり、１回目の一定時間スキップ処理と２回目の一定時間スキップ処理と両スキップ処理の間の区間との３つを合わせて１回のスキップ処理とする。１回目のスキップ終了点Ｓeから２回目のスキップ開始点Ｓsまでの区間についても、本来ユーザの再生したくない情報に相当すると考える。この連続スキップ処理を、再生区間リストからの削除対象、スキップ区間リストへの登録対象とするのが本発明の実施の形態２である。
【００４８】
本発明の実施の形態２における情報記録再生装置を図５を用いて説明する。
【００４９】
上記構成のＤＶＤレコーダは、映像再生中に３０秒スキップが行われた後、所定時間Ｔ０以内に続けて３０秒スキップが行われた場合には、再生区間リストＢ中に１回目のスキップ終了点Ｓeから２回目のスキップ終了点Ｓeまでの区間のすべてまたは一部が含まれているかどうかを検索する。
【００５０】
図５に示すように、１回目スキップ終了点Ｓeが再生区間リストＢ中のある再生区間(Ｋ＋１)の開始点と一致し、かつ２回目スキップ終了点Ｓeが再生区間(Ｋ＋１)の途中に位置している場合を想定する。このような場合には、再生区間リスト変更手段Ｍ３は、再生区間リストＢでの旧の再生区間(Ｋ＋１)において、その開始点から２回目スキップ終了点Ｓeまでの範囲を削除する。すなわち、新の再生区間(Ｋ＋１)の開始点を２回目スキップ終了点Ｓeまで後方にシフトさせる。一方、スキップ区間リスト変更手段Ｍ４は、スキップ区間リストＣにおいて、新のスキップ区間(Ｋ＋１)の終了点を２回目スキップ終了点Ｓeに設定し直す。１回目スキップ終了点Ｓeが再生区間リストＢ中のある再生区間(Ｋ＋１)の開始点よりも時間的に前方にある場合も同様とする。
【００５１】
もし、１回目スキップ終了点Ｓeが再生区間(Ｋ＋１)に含まれており、かつ２回目スキップ終了点Ｓeが再生区間(Ｋ＋１)の終了点に一致するか、それよりも時間的に後方に位置しているときは、次のように処理する。すなわち、連続スキップ処理Ｓが旧の再生区間(Ｋ＋１)の全体をカバーすることになるため、再生区間リスト変更手段Ｍ３は、再生区間リストＢにおいて、旧の再生区間(Ｋ＋１)を削除し、旧の再生区間(Ｋ＋２)以降において再生区間番号を１つずつデクリメントする。一方、スキップ区間リスト変更手段Ｍ４は、スキップ区間リストＣにおいて、旧のスキップ区間(Ｋ＋２)を削除し、旧のスキップ区間(Ｋ＋３)以降においてスキップ区間番号を１つずつデクリメントする。さらに、新のスキップ区間(Ｋ＋１)の終了点を新の再生区間(Ｋ＋１)の開始点（２回目スキップ終了点Ｓe）まで後方にシフトさせる。１回目スキップ終了点Ｓeが再生区間リストＢ中のある再生区間(Ｋ＋１)の開始点よりも時間的に前方にある場合も同様とする。
【００５２】
もし、１回目スキップ終了点Ｓeから２回目スキップ終了点Ｓeまでの区間が、いずれの再生区間にも重ならないときは、何もしない。
【００５３】
本実施の形態によれば、連続スキップ処理の場合にも実施の形態１の場合と同様に対応することが可能で、操作の煩わしさを解消するとともに、連続スキップ処理区間についてユーザが容易に確認することが可能となる。
【００５４】
（実施の形態３）
本発明の実施の形態３における情報記録再生装置を図６および図７を用いて説明する。
【００５５】
上記構成のＤＶＤレコーダにおいて、３０秒スキップ手段Ｍ１が逆方向３０秒スキップの機能も有しているものとする。ＤＶＤレコーダは、映像再生中に逆方向の３０秒スキップが行われた場合、逆方向スキップ開始点Ｒsと逆方向スキップ終了点Ｒeを特定した上で、再生区間リストＢ中に逆方向スキップ処理Ｒのすべてまたは一部が含まれていないかどうかを検索する。逆方向スキップ処理Ｒでは、逆方向スキップ終了点Ｒeは、順方向において逆方向スキップ開始点Ｒsよりも上手側にあり、通常のスキップ処理の場合とは逆関係にある（通常のスキップ処理では、スキップ終了点はスキップ開始点よりも下手側にある）。
【００５６】
もし、逆方向スキップ開始点Ｒsが再生区間リストＢ中のある再生区間(Ｋ＋１)に含まれており、かつ再生区間(Ｋ＋１)に逆方向スキップ終了点Ｒeが存在する場合には、何もしない。
【００５７】
図６（ａ）の態様は、再生区間を前方に延長するものである。逆方向スキップ開始点Ｒsが再生区間リストＢ中のある再生区間(Ｋ＋１)に含まれているが、逆方向スキップ終了点Ｒeは再生区間(Ｋ＋１)に含まれていない状態に該当している。このような場合には、再生区間リスト変更手段Ｍ３は、再生区間リストＢにおいて、新の再生区間(Ｋ＋１)の開始点を逆方向スキップ終了点Ｒe（データポイント：ｔ５１）に設定し直す。再生区間リストＢのデータは、旧の再生区間(Ｋ＋１)で（ｔ５２，ｔ５３）であったものが、新の再生区間(Ｋ＋１)で（ｔ５１，ｔ５３）と更新される。
【００５８】
一方、スキップ区間リスト変更手段Ｍ４は、スキップ区間リストＣにおいて、新のスキップ区間(Ｋ＋１)の終了点を逆方向スキップ終了点Ｒeに設定し直す。スキップ区間リストＣのデータは、旧のスキップ区間(Ｋ＋１)で（ｔ５０，ｔ５２）であったものが、新のスキップ区間(Ｋ＋１)で（ｔ５０，ｔ５１）と更新される。
【００５９】
図８は図６（ａ）を詳しく表したものである。再生区間リストＢは、個々の再生区間について、その開始点と終了点のデータ対の列で表される。スキップ区間リストＣも同様に、個々のスキップ区間について、その開始点と終了点のデータ対の列で表される。実記録データＡは、個々の再生区間について、その開始点から終了点までの連続データである。実記録データＡにおいて、旧の再生区間(Ｋ＋１)が逆方向スキップ処理Ｒに対応して前方へ延長されている。新の再生区間(Ｋ＋１)の開始点が逆方向スキップ終了点Ｒeに設定し直され、新のスキップ区間(Ｋ＋１)の終了点も逆方向スキップ終了点Ｒeに設定し直されている。
【００６０】
図６（ｂ）の態様は、再生区間を後方に延長するものである。再生区間(Ｋ＋１)に逆方向スキップ開始点Ｒsは含まれていないが、逆方向スキップ終了点Ｒeが再生区間(Ｋ＋１)の途中に存在する状態に該当している。このような場合には、再生区間リスト変更手段Ｍ３は、再生区間リストＢにおいて、再生区間(Ｋ＋１)の終了点を逆方向スキップ開始点Ｒs（データポイント：ｔ６４）に設定し直す。再生区間リストＢのデータは、旧の再生区間(Ｋ＋１)で（ｔ６２，ｔ６３）であったものが、新の再生区間(Ｋ＋１)で（ｔ６２，ｔ６４）と更新される。
【００６１】
一方、スキップ区間リスト変更手段Ｍ４は、スキップ区間リストＣにおいて、新のスキップ区間(Ｋ＋２)の開始点を逆方向スキップ開始点Ｒsに設定し直す。スキップ区間リストＣのデータは、旧のスキップ区間(Ｋ＋２)で（ｔ６３，ｔ６５）であったものが、新のスキップ区間(Ｋ＋２）で（ｔ６４，ｔ６５）と更新される。
【００６２】
図７（ａ）の態様は、再生区間を前後に拡張するものである。再生区間リストＢ中のある再生区間(Ｋ＋１)に逆方向スキップ処理Ｒの一部が重なっている。しかし、再生区間(Ｋ＋１)には逆方向スキップ開始点Ｒsも逆方向スキップ終了点Ｒeも含まれていない。このような場合には、再生区間リスト変更手段Ｍ３は、再生区間リストＢにおいて、再生区間(Ｋ＋１)の開始点を逆方向スキップ終了点Ｒe（データポイント：ｔ７１）に設定し直し、再生区間(Ｋ＋１)の終了点を逆方向スキップ開始点Ｒs（データポイント：ｔ７４）に設定し直す。再生区間リストＢのデータは、旧の再生区間(Ｋ＋１)で（ｔ７２，ｔ７３）であったものが、新の再生区間(Ｋ＋１)で（ｔ７１，ｔ７４）と更新される。
【００６３】
一方、スキップ区間リスト変更手段Ｍ４は、スキップ区間リストＣにおいて、新のスキップ区間(Ｋ＋１)の終了点を逆方向スキップ終了点Ｒeに設定し直し、新のスキップ区間(Ｋ＋２)の開始点を逆方向スキップ開始点Ｒsに設定し直す。スキップ区間リストＣのデータは、旧のスキップ区間(Ｋ＋１)で（ｔ７０，ｔ７２）であったものが、新のスキップ区間(Ｋ＋１）で（ｔ７０，ｔ７１）と更新される。また、旧のスキップ区間(Ｋ＋２)で（ｔ７３，ｔ７５）であったものが、新のスキップ区間(Ｋ＋２）で（ｔ７４，ｔ７５）と更新される。
【００６４】
図７（ｂ）の態様は、スキップ箇所において、新たにスキップ区間を追加するものである。再生区間リストＢ中には逆方向スキップ処理Ｒの一部を含んでいるような再生区間が存在しないとする。また、再生区間リストＢに新しい再生区間を追加可能であとする。そして、逆方向スキップ開始点Ｒs以降において、再生区間(Ｋ＋１)が存在するものとする。このような場合には、再生区間リスト変更手段Ｍ３は、再生区間リストＢにおいて、旧の再生区間(Ｋ＋１)以降において再生区間番号を１つずつインクリメントする。そして、追加の再生区間(Ｋ＋１)は、その開始点を逆方向スキップ終了点Ｒe（データポイント：ｔ８３）とし、終了点を逆方向スキップ開始点Ｒs（データポイント：ｔ８４）とする。再生区間リストＢのデータは、新の再生区間(Ｋ＋１)で（ｔ８３，ｔ８４）と登録される。
【００６５】
さらに、スキップ区間リスト変更手段Ｍ４は、スキップ区間リストＣにおいて、新しいスキップ区間を追加可能であり、かつ逆方向スキップ開始点Ｒs以降にスキップ区間が存在するものとする。このような場合には、旧のスキップ区間(Ｋ＋２)以降において再生区間番号を１つずつインクリメントする。そして、新のスキップ区間(Ｋ＋１)の終了点を逆方向スキップ終了点Ｒeに設定し直す。また、新のスキップ区間(Ｋ＋２)の開始点を逆方向スキップ開始点Ｒsに設定し、終了点を旧のスキップ区間(Ｋ＋１)の終了点に設定する。スキップ区間リストＣのデータは、旧のスキップ区間(Ｋ＋１)で（ｔ８２，ｔ８５）であったものが、新のスキップ区間(Ｋ＋１）で（ｔ８２，ｔ８３）と更新され、新のスキップ区間(Ｋ＋２）では（ｔ８４，ｔ８５）と登録される。なお、かつ逆方向スキップ開始点Ｒs以降に再生区間が存在しない場合には、図７（ｂ）で鎖線矢印方向の領域のみを考えればよい。また、再生区間リストＢに新しい再生区間を追加不可能な場合には、何もしない。
【００６６】
本実施の形態によれば、逆方向スキップ処理を行うことで、ユーザが本来再生したい箇所は、以降自動的にスキップさせずに情報再生することが可能になる。さらに、逆方向スキップ後のスキップ区間についても、ユーザが容易に確認することが可能となる。
【００６７】
（実施の形態４）
本発明の実施の形態４における情報記録再生装置を図９を用いて説明する。
【００６８】
上記構成のＤＶＤレコーダは、映像再生中に３０秒スキップが行われる度に再生区間リストＢに新たな再生区間を追加可能か、スキップ区間リストＣに新たなスキップ区間を追加可能であるか判断する。
【００６９】
もし、追加不可であれば何もしないが、追加可能であったとしても再生区間リストＢやスキップ区間リストＣを直接変更せず、それぞれ複製してから複製した再生区間リストＢやスキップ区間リストＣに対し、上記の処理を行うことで実現できる。
【００７０】
ところで、上記の実施の形態２において、映像再生中に一定時間スキップ処理が行われた後、所定時間Ｔ０以内に再度一定時間スキップ処理が行われた場合には、特殊な処理を行うと説明してきた。ここで、その所定時間をＴ０とする。所定時間Ｔ０の形態としては、以下で説明するような様々なものがある。
【００７１】
（１）図１０に示すように、２つのスキップ処理の時間間隔である所定時間Ｔ０について、一定時間スキップ量の大小変化にかかわりなく常に固定値（例：ＪＴ）とする。この固定値の所定時間Ｔ０は、内部レジスタに格納しておくものとする。１回目の一定時間スキップ処理と２回目の一定時間スキップ処理との時間間隔が所定時間Ｔ０以内であるとき、再生区間リスト変更手段Ｍ３およびスキップ区間リスト変更手段Ｍ４は、上記の特殊処理を実行するものとする。すなわち、１回目の一定時間スキップ開始点Ｓsから２回目の一定時間スキップ終了点Ｓeまでを大きく１回のスキップ処理とみなし（連続スキップ処理）、２回のスキップ処理の区間を再生区間リストＢにおいて削除しかつスキップ区間リストＣに登録するだけでなく、１回目の一定時間スキップ終了点Ｓeから２回目の一定時間スキップ開始点Ｓsまでも記録情報から削除しかつスキップ区間リストＣに登録する。このように所定時間Ｔ０を、一定時間スキップ量の大小変化にかかわりなく固定値で扱うと、機能の実現がより容易になる。
【００７２】
（２）図１１に示すように、２つのスキップ処理の時間間隔である所定時間Ｔ０について、上記（１）と同様に、一定時間スキップ量の大小変化にかかわりなく常に固定値とするが、その固定値をユーザが変更可能（例：ＪＴ１，ＪＴ２，ＪＴ３）であるものとする。すなわち、所定時間Ｔ０をユーザがカスタマイズできるようになっている。
【００７３】
１回目の一定時間スキップ処理と２回目の一定時間スキップ処理との時間間隔が所定時間Ｔ０以内であるとき、再生区間リスト変更手段Ｍ３およびスキップ区間リスト変更手段Ｍ４は、１回目の一定時間スキップ開始点Ｓsから２回目の一定時間スキップ終了点Ｓeまでを大きく１回のスキップ処理とみなし、上記の特殊処理を実行するものとする。所定時間Ｔ０を常にユーザが指定した固定値で扱うと、それぞれのユーザの感覚にあった制御が可能になる。
【００７４】
（３）図１２に示すように、所定時間Ｔ０について、ＤＶＤレコーダが内部で持っている変換関数や変換テーブルを用いて、スキップ量から算出するものとする。すなわち、一定時間スキップ量に依存して所定時間Ｔ０を決定する。これによれば、スキップしたその時々の感覚により近い制御が可能になる。
【００７５】
（４）図１３に示すように、スキップ量からＤＶＤレコーダが内部で持っている一次関数を用いて一定時間スキップ量から所定時間Ｔ０を算出する。これによれば、スキップしたその時々の感覚により近い制御をより容易に実現することが可能になる。
【００７６】
（５）図１４に示すように、上記（４）と同様に一次関数を用いて所定時間Ｔ０を算出するが、その一次関数の傾きやＹ切片をユーザが変更可能にする。所定時間Ｔ０を一定時間スキップ量から一次関数で算出し、かつ一次関数の傾きやＹ切片をユーザがカスタマイズする。これによれば、スキップしたユーザの感覚により近い制御をより容易に実現することが可能になる。
【００７７】
（６）図１５に示すように、一定時間スキップ量が下限値（ＳＴｍｉｎ）以上、上限値（ＳＴｍａｘ）未満の場合は、一次関数を用いて一定時間スキップ量から所定時間Ｔ０を算出する。スキップ量が下限値（ＳＴｍｉｎ）未満では固定の下限閾値（ＪＴｍｉｎ）とし、スキップ量が上限値（ＳＴｍａｘ）以上では固定の上限閾値（ＪＴｍａｘ）とする。また、これらの下限値、上限値、下限閾値、上限閾値をユーザから変更することもありうる。すなわち、一定時間スキップ量に依存して所定時間Ｔ０を決定するが、それぞれ下限と上限を持たせる。これによれば、上限を設けることで、極度に長い一定時間スキップを行った後の次の一定時間スキップを、本来は無関係であるにもかかわらず連続と判断してしまうことを避けることが可能になる。また、下限を設けることで、極度に短い一定時間スキップを行った直後の一定時間スキップを、ユーザが連続を意図したどおりに判断することが可能になる。
【００７８】
（７）図１６に示すように、一次関数を用いて一定時間スキップ量から所定時間Ｔ０を算出するが、スキップ量を複数の範囲に分割し、その閾値算出のために用いる一次関数を範囲毎に保持しておく。また、これらの各一次関数の傾きやＹ切片をユーザから変更することもありうる。これによれば、スキップしたその時々の感覚により近い制御をより容易に実現することが可能になる。
【００７９】
（８）図１７に示すように、ＤＶＤレコーダが内部で持っているテーブルを用いて一定時間スキップ量から所定時間Ｔ０を算出するが、スキップ量を複数の範囲に分割し、その範囲毎に閾値を保持しておく。また、これらの各閾値をユーザから変更することもありうる。これによれば、スキップしたその時々の感覚により近い制御をより容易に実現することを、前述とは別手段で実現可能となる。
【産業上の利用可能性】
【００８０】
本発明の情報記録再生装置は、一定時間スキップについて再生作業や編集作業の利便性を高めるために有用である。
【図面の簡単な説明】
【００８１】
【図１】本発明の実施の形態におけるランダムアクセス可能な情報記録再生装置の代表例としてのＤＶＤレコーダの構成を示すブロック図
【図２】本発明の実施の形態１においてスキップ区間の開始点・終了点と再生区間の開始点・終了点との相対位置関係の各種態様を説明する図（その１）
【図３】本発明の実施の形態１においてスキップ区間の開始点・終了点と再生区間の開始点・終了点との相対位置関係の各種態様を説明する図（その２）
【図４】本発明の実施の形態１におけるＤＶＤレコーダの動作例説明図
【図５】本発明の実施の形態２におけるＤＶＤレコーダの動作例説明図
【図６】本発明の実施の形態３においてスキップ区間の開始点・終了点と再生区間の開始点・終了点との相対位置関係の各種態様を説明する図（その１）
【図７】本発明の実施の形態３においてスキップ区間の開始点・終了点と再生区間の開始点・終了点との相対位置関係の各種態様を説明する図（その２）
【図８】本発明の実施の形態３におけるＤＶＤレコーダの動作例説明図
【図９】本発明の実施の形態４におけるＤＶＤレコーダの動作例説明図
【図１０】本発明の実施の形態２において一定時間スキップ量と連続スキップ処理の判断基準の所定時間との関係を示す特性図（その１）
【図１１】本発明の実施の形態２において一定時間スキップ量と連続スキップ処理の判断基準の所定時間との関係を示す特性図（その２）
【図１２】本発明の実施の形態２において一定時間スキップ量と連続スキップ処理の判断基準の所定時間との関係を示す特性図（その３）
【図１３】本発明の実施の形態２において一定時間スキップ量と連続スキップ処理の判断基準の所定時間との関係を示す特性図（その４）
【図１４】本発明の実施の形態２において一定時間スキップ量と連続スキップ処理の判断基準の所定時間との関係を示す特性図（その５）
【図１５】本発明の実施の形態２において一定時間スキップ量と連続スキップ処理の判断基準の所定時間との関係を示す特性図（その６）
【図１６】本発明の実施の形態２において一定時間スキップ量と連続スキップ処理の判断基準の所定時間との関係を示す特性図（その７）
【図１７】本発明の実施の形態２において一定時間スキップ量と連続スキップ処理の判断基準の所定時間との関係を示す特性図（その８）
【符号の説明】
【００８２】
Ａ  実記録データ
Ｂ  再生区間リストＢ
Ｃ  スキップ区間リストＣ
Ｍ１  ３０秒スキップ手段（一定時間スキップ手段）
Ｍ２  再生区間リストＢ読み出し手段
Ｍ３  再生区間リストＢ変更手段
Ｍ４  スキップ区間リストＣ変更手段
【図１】
2008198306.tif 000003
【図２】
2008198306.tif 000004
【図３】
2008198306.tif 000005
【図４】
2008198306.tif 000006
【図５】
2008198306.tif 000007
【図６】
2008198306.tif 000008
【図７】
2008198306.tif 000009
【図８】
2008198306.tif 000010
【図９】
2008198306.tif 000011
【図１０】
2008198306.tif 000012
【図１１】
2008198306.tif 000013
【図１２】
2008198306.tif 000014
【図１３】
2008198306.tif 000015
【図１４】
2008198306.tif 000016
【図１５】
2008198306.tif 000017
【図１６】
2008198306.tif 000018
【図１７】
2008198306.tif 000019